(57)【要約】【課題】蒸発皿から庫内への伝熱を防止する。【解決手段】冷蔵庫本体１０の背面１０Ａには除霜水を外部に排出する排水管３３が突設され、その下方に蒸発用ヒータ６０を備えた蒸発皿４１が取り付けられる。蒸発皿４１は、裏面と上面とが開口された箱状の本体部４２と、周縁にフランジ４９を設けた裏面板４８とからなり、裏面板４８のフランジ４９が、本体部４２の裏面の開口縁に重ねられて溶接されることで上面開口の箱形に形成され、フランジ４９の内側により凹部５５が形成される。蒸発皿４１の裏面は凹部５５の回りの薄肉の周壁のみが冷蔵庫本体１０の背面１０Ａに当てられて、線接触状態となり、また凹部５５が設けられていることで、冷蔵庫本体１０の背面１０Ａとの間に空気層Ａが形成されて断熱層として機能するから、蒸発皿４１の熱が庫内まで伝達され難い。【選択図】図１５
2008008532.tif 000002
【特許請求の範囲】
【請求項１】
貯蔵庫本体の側面には、除霜水等の庫内排水を外部に排出する排水管が突設されるとともに、この排水管の下方には、前記排水管からの庫内排水を溜めて加熱手段により蒸発させる蒸発皿が設けられた冷却貯蔵庫において、
前記蒸発皿における前記貯蔵庫本体の前記側面と対向する面には、前記側面との間に空気層を形成するべく凹部が形成されていることを特徴とする冷却貯蔵庫。
【請求項２】
前記蒸発皿における前記貯蔵庫本体の前記側面との対向面の周縁部に薄肉の周壁が立てられることにより、前記周壁の内側に前記凹部が形成されていることを特徴とする請求項１記載の冷却貯蔵庫。
【請求項３】
前記蒸発皿は、前記貯蔵庫本体の前記側面との対向面と上面との二面が開口された箱状の本体部と、周縁に表面側に直角曲げされたフランジを設けた側板部とが備えられ、前記側板部が前記本体部における前記開口した対向面に嵌められて、前記フランジが同対向面の開口縁に重ねられて溶接されることにより上面開口の箱形に形成され、かつ前記フランジの内側によって前記凹部が形成されていることを特徴とする請求項２記載の冷却貯蔵庫。
【発明の詳細な説明】
【技術分野】
【０００１】
本発明は、除霜水等の庫内排水を溜めて蒸発させる蒸発皿を貯蔵庫本体の背面等の側面に備えた冷却貯蔵庫に関する。
【背景技術】
【０００２】
従来、この種の冷却貯蔵庫の一例として、特許文献１に記載されたものが知られている。このものは、貯蔵庫本体内の天井部に冷却器が配されてその下面に除霜水を受けるドレンパンが設けられ、同ドレンパンに接続された排水管が、貯蔵庫本体の壁面を貫通して背面の上部位置に突出するとともに、その下方に、投げ込み式のヒータが装備された上面開口の箱形をなす蒸発皿が取り付けられており、除霜運転に際しては、ドレンパンで受けられた除霜水が排水管により蒸発皿に溜められ、ヒータで加熱されることにより蒸発して、同蒸気が上面開口から立ち上って排出されるようになっている。
【特許文献１】特開平８−２００９１９号公報
【発明の開示】
【発明が解決しようとする課題】
【０００３】
しかるに上記従来のものでは、蒸発皿の一面が貯蔵庫本体の背面にべた当たりした構造であったため、断熱壁とは言えども蒸発皿の熱が庫内まで伝わり、庫内の不要な温度上昇を招くおそれがあり、逆に蒸発皿側が温度低下して排水の蒸発能力の低下に繋がるという問題があった。  
本発明は上記のような事情に基づいて完成されたものであって、その目的は、蒸発皿から庫内への伝熱を防止するところにある。
【課題を解決するための手段】
【０００４】
上記の目的を達成するための手段として、請求項１の発明は、貯蔵庫本体の側面には、除霜水等の庫内排水を外部に排出する排水管が突設されるとともに、この排水管の下方には、前記排水管からの庫内排水を溜めて加熱手段により蒸発させる蒸発皿が設けられた冷却貯蔵庫において、前記蒸発皿における前記貯蔵庫本体の前記側面と対向する面には、前記側面との間に空気層を形成するべく凹部が形成されている構成としたところに特徴を有する。
【０００５】
請求項２の発明は、請求項１に記載のものにおいて、前記蒸発皿における前記貯蔵庫本体の前記側面との対向面の周縁部に薄肉の周壁が立てられることにより、前記周壁の内側に前記凹部が形成されているところに特徴を有する。  
請求項３の発明は、請求項２に記載のものにおいて、前記蒸発皿は、前記貯蔵庫本体の前記側面との対向面と上面との二面が開口された箱状の本体部と、周縁に表面側に直角曲げされたフランジを設けた側板部とが備えられ、前記側板部が前記本体部における前記開口した対向面に嵌められて、前記フランジが同対向面の開口縁に重ねられて溶接されることにより上面開口の箱形に形成され、かつ前記フランジの内側によって前記凹部が形成されているところに特徴を有する。
【発明の効果】
【０００６】
＜請求項１の発明＞
蒸発皿に貯留された庫内排水は、加熱手段で加熱されることにより蒸発して排出され、そのとき併せて蒸発皿自体も昇温されるが、蒸発皿とこれが当てられた貯蔵庫本体の側面との間には空気層が形成されて断熱層として機能するから、蒸発皿の熱が庫内まで伝達され難い。そのため、庫内が不必要に温度上昇することが防止され、また逆に、蒸発皿が温度低下することも抑えられるため、庫内排水の蒸発能力が低下することも防止される。
【０００７】
＜請求項２の発明＞
蒸発皿は、貯蔵庫本体の側面との間に断熱用の空気層が形成されることに加え、薄肉の周壁のみが貯蔵庫本体の側面に当てられ、言わば線接触状態となるから、より伝熱され難い。  
＜請求項３の発明＞
本体部の開口した対向面に側板部が組み付けられて溶接する場合に、側板部の直角曲げされたフランジが対向面の開口縁に嵌められるのであるから、フランジの無い平板のものと比較すると、側板部の位置決めがしやすく、引き続く溶接作業もスムーズにできて、ひいては蒸発皿の製造を短時間で行うことができる。
【発明を実施するための最良の形態】
【０００８】
＜実施形態＞
以下、本発明の一実施形態を図１ないし図１５に基づいて説明する。この実施形態では業務用の縦型冷蔵庫に適用した場合を例示しており、図１及び図２により冷蔵庫の構造を説明する。  
冷蔵庫本体１０は前面開口の縦長の断熱箱体から構成され、内部が貯蔵室１１とされており、貯蔵室１１の前面開口部には断熱扉１２が開閉可能に装着されている。冷蔵庫本体１０の上面には、回りがパネルで囲まれた機械室１４が形成され、その中に冷凍装置１５が設置されている。冷凍装置１５は、圧縮機１６、凝縮器ファン１７Ａを備えた空冷式の凝縮器１７等を備え、断熱性の基台１８上に取り付けられてユニット化されており、基台１８が貯蔵室１１の天井壁の窓孔１９を塞ぐようにして取り付けられている。
【０００９】
貯蔵室１１の天井部分における窓孔１９の下面側には、エアダクトを兼ねたドレンパン２０が張設され、その上方に冷却器室２１が形成されている。ドレンパン２０の底面は、奥縁（図１の右側）に向けて下り勾配となるように形成され、手前側の領域に吸込口２２が開口されているとともに、奥縁側には吹出口２３が切り欠き形成されている。  
冷却器室２１内には、冷却器２５と、吸込口２２に臨んで庫内ファン２６が装備されている。冷却器２５は上記した冷凍装置１５と冷媒配管で循環接続され、周知の冷凍サイクルを構成している。
【００１０】
そして、冷凍装置１５（圧縮機１６）を運転しつつ庫内ファン２６を駆動すると、貯蔵室１１の室内空気が吸込口２２から冷却器室２１内に吸引され、その空気が冷却器２５を流通する間に熱交換により冷気が生成され、その冷気が吹出口２３から貯蔵室１１の奥面に沿うようにして吹き出され、貯蔵室１１内に冷気が循環供給されて冷却されるようになっている。  
なお、圧縮機１６の運転に伴って凝縮器ファン１７Ａも運転され、機械室１４の前面パネル１４Ａに設けられた吸気口（図示せず）から外気が吸い込まれて、凝縮器１７さらには圧縮機１６を通過することでこれらを冷却し、冷却に供した後の排熱は、機械室１４の後面パネル１４Ｂに設けられた排気口２８から背面側に向けて排出されるようになっている。排気口２８は、多数のスリットを縦横に整列して形成され、後面パネル１４Ｂの中央部の広い領域において全体として横長の方形状をなして形成されている。
【００１１】
一方、冷却器２５等に付着した霜を除去するために、適宜に除霜運転が行われる。除霜運転は、冷却器２５に装備された除霜ヒータ（図示せず）に通電して冷却器２５を加熱することで行われ、溶融された除霜水はドレンパン２０で受けられたのち、詳しくは後記するように、冷蔵庫本体１０の背面１０Ａ側に設けられた蒸発装置４０に導かれて溜められ、引き続き加熱されることで強制的に蒸発させられて排出されるようになっている。
【００１２】
続いて、蒸発装置４０の配設部分の構造について説明する。  
まず、ドレンパン２０で受けられた除霜水の排水部分の構造を説明する。ドレンパン２０の後縁からは、ドレンパイプ３０が先端をやや下に向けた斜め姿勢で突設されている。一方、冷蔵庫本体１０の背面壁１１Ａにおけるドレンパイプ３０の後方に対応する位置には、図１５に示すように、合成樹脂製の排水筒体３２が背面壁１１Ａを貫通して埋設され、排水筒体３２は、庫外側の端部を下に向けて、ドレンパイプ３０よりも少し急な斜め姿勢を取っている。この排水筒体３２の庫外側の端部から、排水管３３が突設されている。
【００１３】
排水管３３は、同じく熱伝導率の低い合成樹脂製であって、図５にも示すように、比較的短寸で、長さ方向の中央よりも少し後方位置にフランジ３４が直角から少し傾いた交差姿勢で形成されている。排水管３３は、所定の回動姿勢において、フランジ３４を冷蔵庫本体１０の背面１０Ａに当てつつ、後端部を排水筒体３２における庫外側の端部の二重筒部３２Ａに嵌めて取り付けられ、このとき排水管３３は、排水筒体３２と同じ角度の先下がりの姿勢となり、フランジ３４よりも先端側が冷蔵庫本体１０の背面１０Ａよりも庫外に突出するようになっている。  
排水管３３の先端面は閉じられていて、同先端面は、上面から見て略半円形をなす曲面状に形成されている。この排水管３３の先端部の下面には、円形の排水口３５が開口されている。また、上面における排水口３５の直上位置には、同じ大きさの円形をなす逃がし口３６が開口されている。
【００１４】
蒸発装置４０は大まかには、図１３及び図１５にも示すように、冷蔵庫本体１０の背面１０Ａにおける排水管３３の突設部分の下方位置に、除霜水を溜めて蒸発用ヒータ６０により強制的に蒸発させる蒸発皿４１が設けられるとともに、その上方に、蒸気を上方に向けて案内するダクト８５が取り付けられ、さらにこれらをカバー１０５で覆った構造となっている。
【００１５】
蒸発皿４１は、図６に示すように、ともにステンレス鋼板等の金属板製の本体部４２と、裏面板４８とから構成されている。蒸発皿４１は完成状態では、図３、図７に示すように、横幅が広く、奥行が狭い上面開口の箱形に形成されるが、本体部４２は、上記の箱のうち、上面に加えて、冷蔵庫本体１０の背面１０Ａと対向する裏面を開口した形状に形成されている。  
本体部４２における表面板４３と、背面から見た左側面板４４Ａの上縁には、外向きに直角曲げされた幅狭のフランジ４５が形成され、一方、右側面板４４Ｂの上縁には、同じく外向きに直角曲げされてはいるが、幅広の取付板４６が形成されている。
【００１６】
裏面板４８は、本体部４２における開口された裏面に嵌められるものであって、周縁に背の低いフランジ４９を立てた浅皿状に形成されている。裏面板４８における上側のフランジ４９の開口縁からは、上向きに取付板５０が形成されており、この取付板５０の裏面と、左右並びに下側のフランジ４９の開口縁とが同一平面上に位置するようになっている。取付板５０は、背面から見た左端部が裏面板４８の左端縁よりも突出しており、左右両端部に、ねじ５２（図３）の挿通孔５３が形成されているとともに、上縁における右端部に寄った位置に、上記した排水管３３を嵌めて逃がす逃がし凹部５４が切り欠き形成されている。
【００１７】
裏面板４８は、図７に示すように、本体部４２の開口された裏面に嵌められる。そのとき、左右並びに下側のフランジ４９が、本体部４２の裏面の開口縁４２Ａ、詳細には、左右の側面板４４Ａ，４４Ｂと底面板４７の開口縁に揃えられて内側に重ねられる。上側のフランジ４９は、本体部４２における左側のフランジ４５と取付板４６と面一となり、取付板５０の左端の突出部分は、その根元が左側のフランジ４５の端縁に載った状態となる。  
そして、裏面板４８の左右並びに下側のフランジ４９が、重ねられた本体部４２の裏面の開口縁４２Ａに対して溶接により固定されることで、上記したように上面開口の箱形をなす蒸発皿４１が形成される。このとき蒸発皿４１の裏面には、フランジ４９の内側において、比較的浅いがほぼ全面にわたる凹部５５が形成される。
【００１８】
蒸発皿４１内には、シーズヒータからなる投げ込み式の蒸発用ヒータ６０が、ブラケット６５で支持された状態で装着されている。シーズヒータは基本的には、コイル状に巻いた発熱線を金属パイプ内に挿通し、絶縁粉末を充填した構造となっており、この実施形態の蒸発用ヒータ６０は、図８及び図９に示すように、細長い１本の棒が、中央長さ部分でヘアピン状に曲げ形成されて２本の棒が平行に並設され、さらにこれが長さ方向の途中位置でほぼ直角に曲げられて、縦部６１の先端側に横部６２が設けられた形状となっている。縦部６１は、図１４等に示すように、蒸発皿４１の深さより若干大きい長さ寸法を有し、一方横部６２は、縦部６１の２倍弱で、蒸発皿４１の底面の長手方向の寸法よりも所定量短い寸法を有している。
【００１９】
ただし、この実施形態では、蒸発用ヒータ６０のうち横部６２のみが発熱可能部（図１４の網掛け部参照）となっており、縦部６１については非発熱部とされている。そのために縦部６１では、発熱線が除去されるか、あるいは金属パイプが非熱伝導性のパイプと置換された構造とされている。  
また、縦部６１の２箇所の上端部には、それぞれリード線６３が接続されて引き出されており、その接続部分がモールド樹脂によってモールドされている（モールド部６４）。
【００２０】
ブラケット６５は、金属板をプレス成形することにより図１０に示す形状に形成されており、蒸発皿４１の上面開口４１Ａにおける背面から見た右端の所定領域、例えば上面開口４１Ａの全長の１／５程度を塞ぐ取付部６６を有している。取付部６６の手前側の端縁には、フランジ６７が下向きに曲げ形成されている。また、取付部６６の右端側にはＬ型の添え板６８が載置可能であって、同添え板６８の底板６８Ａの右縁にも、フランジ６９が下向きに曲げ形成されている。
【００２１】
蒸発用ヒータ６０は、図３に示すように、横部６２の先端が左側を向いた姿勢において、縦部６１の両上端部がブラケット６５における挿通孔７０（図１０）に下方から挿通され、係る状態から蒸発用ヒータ６０が蒸発皿４１内に入れられ、かつブラケット６５が、取付部６６の手前のフランジ６７を蒸発皿４１における手前のフランジ４５の端縁に係止し、かつ取付部６６の奥の端縁を奥のフランジ４９に載せて、上面開口４１Ａの右端に被せられる。そのとき、蒸発用ヒータ６０の横部６２が蒸発皿４１の底面に当てられる。併せて、添え板６８がそのフランジ６９を右縁に係止しつつ取付部６６の右端部上に載せられると、モールド部６４を含んで縦部６１における取付部６６の上面に突出した部分が添え板６８に添えられるため、バンド７２で結束して固定される。添え板６８の底板６８Ａのフランジ６９が、蒸発皿４１の取付板４６の右端縁に係止されつつ、同底板６８Ａと取付部６６の右端部とが取付板４６上に重ねられ、ねじ７１で共締めされて固定される。
【００２２】
以上により、蒸発用ヒータ６０は、その縦部６１の上端部がブラケット６５で支持されつつ、縦部６１が蒸発皿４１内の背面から見た右側面の少し内側に沿って垂下し、横部６２が底面における右端部から左端部の少し手前の位置にわたって当てられた状態で、蒸発皿４１内に装着される。  
蒸発用ヒータ６０における一方の横部６２の先端寄りの位置には、サーモスタット７３が取り付けられている。このサーモスタット７３は、蒸発用ヒータ６０の横部６２の先端部の温度を直接に検知し、同位置の検知温度が所定温度に達したら、同位置が貯留水への浸漬状態から解放され、すなわち貯留水の残量が少量となったと見なして蒸発用ヒータ６０への通電を停止するように機能する。このサーモスタット７３のリード線７４は、一方の横部６２から縦部６１に沿って配線されたのち、取付部６６に嵌着されたゴム栓７５の中心孔を通って上方に引き出されている。  
また、取付部６６上には、蒸発用ヒータ６０への通電を停止することに機能する予備のサーモスタット７６と、保護用の温度ヒューズ７７とが取り付けられている。
【００２３】
一方、上記したブラケット６５には、遮蔽板８０が一体形成されている。詳細には、図９及び図１０に示すように、取付部６６の左側縁における中央部の所定幅領域、すなわち蒸発皿４１の上面開口４１Ａ内に嵌ることが可能な幅領域から、短寸の垂下板７９が直角に曲げ形成され、その垂下板７９の下縁から、上記の遮蔽板８０が左方に延出するように曲げ形成されている。この遮蔽板８０は、取付部６６の長さの半分強の長さを有し、若干先下がりとなった姿勢で形成されている。
【００２４】
このようにブラケット６５を介して蒸発用ヒータ６０が装着された蒸発皿４１が、冷蔵庫本体１０の背面に取り付けられる。蒸発皿４１は、例えば図３及び図１３に示すように、背面から見た左側が持ち上がった傾斜姿勢（傾斜角が５°程度）とされ、取付板５０の逃がし凹部５４に排水管３３を嵌めて逃がしつつ、冷蔵庫本体１０の背面１０Ａに当てられる。そして、取付板５０の左右両端部の挿通孔５３にねじ５２を通して、背面１０Ａに設けられたねじ孔８２に締め付けることで、蒸発皿４１が傾斜姿勢で取り付けられる。  
なお、蒸発用ヒータ６０の上端から引き出されたリード線６３や、サーモスタット７３のリード線７４等は、機械室１４の後面パネル１４Ｂに開口された挿通孔８３から内部に挿通され、機械室１４内に装備された電装箱の接続部（図示せず）に接続される。
【００２５】
上記のように蒸発皿４１が取り付けられると、図１４に示すように、同蒸発皿４１の底面が左上がりの傾斜面となり、蒸発用ヒータ６０の横部６２も同じく斜め姿勢を取って底面上に当てられた状態となる。  
それとともに、ブラケット６５の取付部６６の左側縁から延出形成された遮蔽板８０が、やや先下がりの姿勢を取って、排水管３３の排水口３５の直下位置を覆うようにして配される。  
また、図１５に示すように、蒸発皿４１の裏面側では、本体部４２の取付板５０と開口縁４２Ａ、並びに開口縁４２Ａの内側に重ねられた凹部５５の回りのフランジ４９のみが冷蔵庫本体１０の背面１０Ａに当てられ、言い換えると、冷蔵庫本体１０の背面１０Ａが凹部５５の開口面を覆い、蒸発皿４１の裏面と、冷蔵庫本体１０の背面１０Ａとの間に断熱用の空気層Ａが形成されるようになっている。
【００２６】
このように取り付けられた蒸発皿４１の上面開口４１Ａの上方位置、詳細にはブラケット６５が取り付けられた右端部を除いた領域の上方位置には、蒸発皿４１内で発生した蒸気を立ち上り案内するダクト８５が取り付けられている。  
ダクト８５は金属板製であって、図３に示すように、上下両面が開口されかつつ背面視がほぼ正方形をなす扁平な角筒状に形成されており、その下端部が、蒸発皿４１の上面開口４１Ａにおけるブラケット６５が装着された位置の左側の領域に挿入可能となっている。  
ダクト８５の裏面板８６の左右両側縁には、図１３に示すように、取付板８７が張り出し形成されている。左右の取付板８７はそれぞれ、蒸発皿４１の取付板５０のねじ止め箇所や、ブラケット６５を逃がすために、下端側が所定長さ切除されている。  
また、裏面板８６の下縁は、表面板８８の下縁に比べて少し上方に位置し、かつ蒸発皿４１の傾斜角に倣った角度で背面から見た左上がりに傾斜している。そして同裏面板８６の下縁における背面から見た右端寄りの位置には、上記した排水管３３を嵌めて逃がす逃がし凹部８９が切り欠き形成されている。
【００２７】
ダクト８５は垂直姿勢を取り、図１３に示すように、蒸発皿４１の取付板５０から突出した排水管３３を逃がし凹部８９に嵌めて逃がしつつ、その下端が、蒸発皿４１の上面開口４１Ａにおけるブラケット６５の左側の領域に挿入され、その裏面が、蒸発皿４１の取付板５０、冷蔵庫本体１０の背面１０Ａにわたって当てられる。なお、裏面板８６の下縁は、奥側のフランジ４９の上に載せられる。そして、左右の取付板８７の上端部に形成された挿通孔９２にねじ９１を通して、背面１０Ａに設けられたねじ孔９３にねじ込むことで、ダクト８５が固定される。このときダクト８５の上面は、機械室１４の後面パネル１４Ｂにおける排気口２８の形成領域の下縁よりも少し下方位置に達するようになっている。
【００２８】
ダクト８５の上面開口には、上面板９５が装着されている。上面板９５は、図１１に示すように、ダクト８５の上面開口の大きさにほぼ匹敵する大きさを有し、前後方向に長いスリット９６が、多数本左右方向に沿って列設されている。上面板９５の前縁には、下向きの取付板９７が鋭角で曲げ形成されているとともに、後縁には、小幅の立ち上がり板９８が同じく鋭角で曲げ形成され、さらに立ち上がり板９８の上縁から奥側に向けて斜め上方に延出した差込板９９が形成されている。なお、機械室１４の後面パネル１４Ｂにおける排気口２８の形成領域の直ぐ下の位置には、差込板９９が差し込み可能な差込溝１００が形成されている。
【００２９】
上面板９５は、差込板９９が差込溝１００に差し込まれたのち、立ち上がり板９８がダクト８５の上面開口の奥側の内面に当てられると、手前の取付板９７がダクト８５の表面板８８の上縁部に重なって係止される。そして、取付板９７の左右両側に開口された挿通孔１０２にねじ１０１を通して、ダクト８５の表面板８８の上縁部における対応位置に設けられたねじ孔１０３にねじ込むことによって固定される。このとき上面板９５は、図１５に示すように、奥縁側が下がった斜め姿勢を取り、奥縁がダクト８５の上面開口内に入り込んだ状態となる。
【００３０】
カバー１０５は金属板製であって、図４、図１５に示すように、裏面側が開口された方形の浅皿が立てられたような形状であって、上記した蒸発皿４１とダクト８５のほぼ全部を覆うことが可能となっている。カバー１０５における左右並びに下側の開口縁からは、それぞれ取付板１０６が張り出し形成されているとともに、上面板１０７には、ダクト８５の上縁部を嵌めて逃がす逃がし凹部１０８が切り欠き形成されている。  
そしてカバー１０５は、逃がし凹部１０８にダクト８５の上縁を嵌めつつ、冷蔵庫本体１０の背面１０Ａから後面パネル１４Ｂの下縁部にわたって当てられ、各取付板１０６に開口された挿通孔１１１に通されたねじ１１０が、冷蔵庫本体１０の背面１０Ａの対応位置のねじ孔１１２にねじ込まれることによって固定される。これにより、蒸発皿４１、ダクト８５のほとんど全部、並びにリード線６３等の挿通孔８３がカバー１０５で覆われ、一方ダクト８５の上面板９５は、上方に向けて開放した状態とされる。
【００３１】
続いて、本実施形態の作用を説明する。  
冷蔵庫の稼働中において除霜運転が行われると、冷却器２５等からの除霜水がドレンパン２０で受けられたのち、奥縁のドレンパイプ３０から、排水筒体３２、排水管３３に流出し、排水管３３の先端側の下面に開口された排水口３５から流れ落ちる。排水口３５の直下位置には、遮蔽板８０が先下がりの姿勢で配されているから、排水口３５から流れ落ちた除霜水は、図１４の矢線Ｘに示すように、遮蔽板８０で受けられたのち、主にその先端から滴下するようにして蒸発皿４１の底部に溜められる。蒸発皿４１は斜め姿勢で取り付けられているから、右側ほど深い形態で溜められる。
【００３２】
それとともに蒸発用ヒータ６０に通電され、蒸発皿４１内に溜められた貯留水（除霜水）が加熱されて強制的に蒸発し、蒸気が立ち上る。ここで特に、排水管３３の下方に対応する位置から立ち上った蒸気は、排水管３３から冷却器室２１側に流入するおそれがあるが、上記したように排水口３５の下方に遮蔽板８０が配されているから、図１４の矢線Ｙに示すように、蒸気が遮蔽板８０で遮られて排水管３３の左方に追いやられ、蒸発皿４１内の左側から立ち上った蒸気とともにダクト８５内を上昇し、上面板９５のスリット９６を通って上方に排出される。仮に蒸気の一部が排水管３３の下方に回り込んで、排水口３５から流入したとしても、排水口３５の直上位置には逃がし口３６が開口されているから、図１５の矢線Ｚに示すように、排水口３５から流入した蒸気は引き続き上昇して逃がし口３６から上方に抜け、同じくダクト８５内を立ち上ってスリット９６から排出される。よって、排水管３３から蒸気が逆流することがより確実に防止される。
【００３３】
なお、ダクト８５の上面から排出された蒸気の一部は、機械室１４の後面パネル１４Ｂに接触することで結露し、その結露水が同後面パネル１４Ｂを伝って流下する可能性があるが、結露水は差込板９９で受けられてダクト８５の上面板９５上に流れ、その傾斜に倣って奥側に流れて、スリット９６や両端縁から蒸発皿４１内に再度貯留され、蒸発に供されることになる。  
除霜運転が終了すると、冷却運転が再開されるが、そのとき凝縮器ファン１７Ａが運転され、冷却用の外気が前面側から吸い込まれて凝縮器１７さらには圧縮機１６を冷却し、冷却に供した後の排熱は、機械室１４の後面パネル１４Ｂの排気口２８から背面側に排出される。そのため、ダクト８５の上面板９５から上方に向けて吐出された蒸気は、排熱を受けることにより低濃度に拡散され、厨房等の部屋の壁面が近傍にあった場合にも、同壁面に多量の蒸気が集中して触れることに起因して結露することが避けられる。
【００３４】
蒸発用ヒータ６０が発熱している間、蒸発皿４１自体も加熱されて昇温されるが、蒸発皿４１の裏面は凹部５５の回りの薄肉の周壁（フランジ４９、本体部４２の開口縁４２Ａ）のみが冷蔵庫本体１０の背面１０Ａに当てられ、言わば線接触状態となることに加え、上記の凹部５５が設けられていることで、冷蔵庫本体１０の背面１０Ａとの間に空気層Ａが形成されて断熱層として機能するから、蒸発皿４１の熱が庫内まで伝達され難い。そのため、庫内が不必要に温度上昇することが防止され、また逆に、蒸発皿４１が温度低下することも抑えられるため、貯留水の蒸発能力が低下することも防止される。
【００３５】
蒸発が進むと、貯留水の水位が次第に低下するが、蒸発皿４１は左上がりの姿勢で取り付けられているから、常に左端側が一番浅い状態にある。したがってさらに蒸発が進むと、蒸発用ヒータ６０の横部６２の先端側から順次に貯留水への浸漬状態から解放され、急激に温度上昇する。サーモスタット７３が所定温度を検知したら、貯留水の残量が少量になったと見なされ、蒸発用ヒータ６０への通電が停止される。そののちなお暫くは、蒸発用ヒータ６０の余熱によって残った貯留水の蒸発が促進される。
【００３６】
このように、蒸発皿４１を傾斜姿勢で取り付けることによって、その底部において貯留水が枯れる位置が左から右に次第にずれる結果が得られる。これは例えば、設置場所に傾斜や小さな段差があって、冷蔵庫を多少背面側から見て右上がりの姿勢で設置せざるを得ない場合にも、同様の結果が得られる。そして、その底部のうちの最も高位置に近いところ、より具体的には、初めに貯留水への浸漬状態から解放される蒸発用ヒータ６０の横部６２の先端側の温度を検知して蒸発用ヒータ６０を切るのであるから、大部分の横部６２が貯留水に浸漬した状態で発熱が停止され、いわゆる空焚きすることが極力抑えられる。
【００３７】
蒸発皿４１内を掃除する場合には、カバー１０５並びにダクト８５を外したのち、ねじ５２を緩めることで、蒸発皿４１を取り外す。そののち、ブラケット６５ともども蒸発用ヒータ６０を外すと、蒸発皿４１の内部が上方に開放された状態となるから、水洗いして内部を隅々まで清掃することができる。カバー１０５やダクト８５についても、外して同様に水洗いをすることができる。
【００３８】
本実施形態の効果は、以下のようである。蒸発用ヒータ６０が発熱している間、蒸発皿４１自体も加熱されて昇温されるが、蒸発皿４１の裏面は凹部５５の回りの薄肉の周壁（フランジ４９、本体部４２の開口縁４２Ａ）のみが冷蔵庫本体１０の背面１０Ａに当てられ、言わば線接触状態となり、それに加えて上記の凹部５５が設けられていることにより、冷蔵庫本体１０の背面１０Ａとの間に空気層Ａが形成されて断熱層として機能するから、蒸発皿４１の熱が庫内まで伝達され難い。そのため、庫内が不必要に温度上昇することが防止され、また逆に、蒸発皿４１が温度低下することも抑えられるため、貯留水の蒸発能力が低下することも防止される。
【００３９】
蒸発皿４１は、本体部４２と裏面板４８とを溶接で結合して形成されるが、裏面板４８は、凹部５５を形成することも兼ねて周縁に直角曲げされたフランジ４９が設けられた形状とされ、そのフランジ４９を本体部４２の裏面の開口縁４２Ａに嵌めて溶接するようにしたから、同フランジ４９の無い平板のものと比較すると、裏面板４８の位置決めがしやすく、引き続く溶接作業もスムーズにできて、ひいては蒸発皿４１の製造を短時間で行うことができる。
【００４０】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）蒸発皿の裏面側に設ける凹部については、上記実施形態に例示したようにほぼ全面に設けることに限らず、比較的小面積であっても相応の空気層ができて断熱に有効であるから、そのようなものも本発明の技術的範囲に含まれる。  
（２）蒸発装置は、上記実施形態に例示した冷蔵庫の背面のみに限らず、左右の側面に設けるようにしてもよい。  
（３）貯留水の蒸発用の加熱手段としては、上記実施形態に例示した投げ込み式のヒータに限らず、蒸発皿の外底面に配線するコードヒータや、あるいは冷凍装置から引き出されたホットガス管等の他の手段であってもよい。  
（４）蒸発させる排水は、除霜水を含めた庫内排水全般に適用することも可能である。
【図面の簡単な説明】
【００４１】
【図１】本発明の一実施形態に係る冷蔵庫の蒸発装置の配設位置付近の縦断面図
【図２】冷蔵庫の背面図
【図３】蒸発皿とダクトの取付構造を示す分解斜視図
【図４】ダクトの上面板とカバーの取付構造を示す分解斜視図
【図５】排水管の斜視図
【図６】蒸発皿の分解斜視図
【図７】蒸発皿の組付完了時の斜視図
【図８】ブラケットに蒸発用ヒータを支持した状態の斜視図
【図９】蒸発皿に蒸発用ヒータを装着した状態の平面図
【図１０】ブラケットの斜視図
【図１１】蒸発皿の上面板の取付構造を示す分解斜視図
【図１２】蒸発装置の配設位置付近の構造を示す斜視図
【図１３】その一部切欠背面図
【図１４】遮蔽板の機能を説明する一部切欠背面図
【図１５】蒸発装置内の構造を示す縦断面図
【符号の説明】
【００４２】
１０…冷蔵庫本体（貯蔵庫本体）  １０Ａ…（冷蔵庫本体１０の）背面（側面）  ３３…排水管  ３５…排水口  ４１…蒸発皿  ４２…本体部  ４２Ａ…（本体部４２の）開口縁（周壁）  ４８…裏面板（側板部）  ４９…フランジ（周壁）  ５５…凹部  ６０…蒸発用ヒータ（加熱手段）  Ａ…空気層
【図１】
2008008532.tif 000003
【図２】
2008008532.tif 000004
【図３】
2008008532.tif 000005
【図４】
2008008532.tif 000006
【図５】
2008008532.tif 000007
【図６】
2008008532.tif 000008
【図７】
2008008532.tif 000009
【図８】
2008008532.tif 000010
【図９】
2008008532.tif 000011
【図１０】
2008008532.tif 000012
【図１１】
2008008532.tif 000013
【図１２】
2008008532.tif 000014
【図１３】
2008008532.tif 000015
【図１４】
2008008532.tif 000016
【図１５】
2008008532.tif 000017